(57)【要約】【課題】ノートブックコンピュータの放熱パッドの提供。【解決手段】本考案は一種のノートブックコンピュータの放熱パッド構造に関わるものである。主に、置き台を設けた積載ユニットを有し、該置き台一端の縁は下方に曲げて支持部を設ける。該置き台は支持部の付近場所に複数のパンチ孔区域を設け、該置き台は支持部付近場所の一面は誘導レールを対称して設ける。支持部付近場所の表面に気流誘導ユニットを設け、該気流誘導ユニットに前記の誘導レール上に二つのフードを移動しうるに設ける。フードの一端に置き台両側に対応した開口部を設け、フード内部にそれぞれファンを設ける。これらの構成要素により、それぞれのノートブックコンピュータに従い、空気誘導ユニットの位置を調節し、効率のよい放熱効果を実現する。【選択図】図３
0003127596.tif 000002
【実用新案登録請求の範囲】
【請求項１】
積載ユニットを設け、該積載ユニットに置き台を設け、該置き台一つの端面は下方に曲げて支持部を設け、該置き台は支持部付近場所に複数のパンチ孔区域を設け、置き台は支持部付近場所の一つの表面に誘導レールを向かい合わせて設け、
空気誘導ユニットを前記の積載ユニットの支持部付近場所に設け、該空気誘導ユニットに前記の誘導レールで自在に移動可能にして、二つのフードを設け、フードの片側は置き台両側に合わせて、開口部を設け、フード内部にファンをそれぞれ設けることを特徴とするノートブックコンピュータの放熱パッド。
【請求項２】
該置き台一つの端面は下方に曲げて支持部を備えた第１板体、及び第１板体の他端で自在に移動可能にして設ける第２板体より構成し、該第１板体と第２板体に対応した端面の両側に延伸部をそれぞれ設け、該第２板体の一端は二つの延伸部の間に備えるカラー部を設け、各延伸部とカラー部の上部に旋軸を設け、該第２板体に複数の長い孔を設け、該第１板体の支持部の端面に接合部を設け、該第２板体は接合部に合わせて結合し、突き合わせ継ぎ部を設けることを特徴とする請求項１記載のノートブックコンピュータの放熱パッド。
【請求項３】
フードの両側に、誘導レールで移動可能にして、パネルを設け、フードの所定場所にパンチ孔を設けることを特徴とする請求項１記載のノートブックコンピュータの放熱パッド。
【請求項４】
パネルの端面にジグザグ部を設けることを特徴とする請求項１記載のノートブックコンピュータの放熱パッド。
【請求項５】
ファンは導線により電気コネクタに接続し、該電気コネクタは第１板体の支持部に設けることを特徴とする請求項１記載のノートブックコンピュータの放熱パッド。
【考案の詳細な説明】
【技術分野】
【０００１】
本考案は一種のノートブックコンピュータの放熱パッド構造、特に一種の空気誘導ユニットの位置を自己調節により、効率のよい放熱効果を実現する。
【背景技術】
【０００２】
通常のノートブックコンピュータの放熱パッドは図7と図8に示すとおり、該放熱パッド４は上、下ケース体４１、４２により、フラット状のケース体４０を生成した後、放熱パッド４内部に一つ以上のファン５を設ける。放熱パッド４上方に備えたファン５の上部に空気入口４３を設け、放熱パッド４の前部に空気出口４４を設ける。該空気出口４４に空気誘導板４５を設け、ノートブックコンピュータを放熱パッド４状に置いて、空気を空気入口４３より吸入した後、空気出口４４より排出して、冷却空気をノートブックコンピュータの底部から進入により、放熱効果を実現する。
【０００３】
前記した公知技術の放熱パッド４は、冷却空気をノートブックコンピュータの底部から吸入して、放熱効果を実現できる。しかしながら、該ケース体４０は大きさが固定された部材のほか、空気入口４３、空気出口４４及びファン５ともケース体４０に取り付けられている。このため、利用者はノートブックコンピュータの仕様に従い、空気入口４３、空気出口４４及びファン５の位置を調節できない。該放熱パッド４は特定規格のノートブックコンピュータ専用であり、異なるノートブックコンピュータで使用するとき、効率のよい放熱ができない。
【考案の開示】
【考案が解決しようとする課題】
【０００４】
前記の欠点を解決するため、利用者はノートブックコンピュータのタイプに従って、空気誘導ユニットの位置を調節し、有効な放熱効果を提供することを本考案の主な目的である。
【０００５】
前記の目的を達成するため、本考案のノートブックコンピュータの放熱パッド構造は、主に置き台を設けた積載ユニットを有し、該置き台一端の縁は下方に曲げて支持部を設ける。該置き台は支持部の付近場所に複数のパンチ孔区域を設け、該置き台は支持部付近場所の一面は誘導レールを対称にして設ける。支持部付近場所の表面に気流誘導ユニットを設け、該気流誘導ユニットに前記の誘導レール上に二つのフードを移動しうるに設ける。フードの一端に置き台両側に対応した開口部を設け、フード内部にそれぞれファンを設ける。
【課題を解決するための手段】
【０００６】
請求項１の考案は、積載ユニットを設け、該積載ユニットに置き台を設け、該置き台一つの端面は下方に曲げて支持部を設け、該置き台は支持部付近場所に複数のパンチ孔区域を設け、置き台は支持部付近場所の一つの表面に誘導レールを向かい合わせて設け、
空気誘導ユニットを前記の積載ユニットの支持部付近場所に設け、該空気誘導ユニットに前記の誘導レールで自在に移動可能にして、二つのフードを設け、フードの片側は置き台両側に合わせて、開口部を設け、フード内部にファンをそれぞれ設けることを特徴とするノートブックコンピュータの放熱パッドとしている。
請求項２の考案は、該置き台一つの端面は下方に曲げて支持部を備えた第１板体、及び第１板体の他端で自在に移動可能にして設ける第２板体より構成し、該第１板体と第２板体に対応した端面の両側に延伸部をそれぞれ設け、該第２板体の一端は二つの延伸部の間に備えるカラー部を設け、各延伸部とカラー部の上部に旋軸を設け、該第２板体に複数の長い孔を設け、該第１板体の支持部の端面に接合部を設け、該第２板体は接合部に合わせて結合する、突き合わせ継ぎ部を設けることを特徴とする請求項１記載のノートブックコンピュータの放熱パッドとしている。
請求項３の考案は、フードの両側に、誘導レールで移動可能にして、パネルを設け、フードの所定場所にパンチ孔を設けることを特徴とする請求項１記載のノートブックコンピュータの放熱パッドとしている。
請求項４の考案は、パネルの端面にジグザグ部を設けることを特徴とする請求項１記載のノートブックコンピュータ放熱パッドの改良構造としている。
請求項５の考案は、ファンは導線により電気コネクタに接続し、該電気コネクタは第１板体の支持部に設けることを特徴とする請求項１記載のノートブックコンピュータの放熱パッドとしている。
【考案の効果】
【０００７】
本考案のノートブックコンピュータの放熱パッドは、公知技術の欠点を解決し、ノートブックコンピュータの寸法に従って、空気誘導ユニットの位置を調節、効率のよい放熱を実現できる。
【考案を実施するための最良の形態】
【０００８】
図１、２、３に示すものは、本考案の立体外観概略図、立体分解概略図、及びもう一つ角度の立体分解概略図である。図示のとおり、本考案のノートブックコンピュータ放熱パッドの改良構造は、主に積載ユニット１と空気誘導ユニット２より構成し、ノートブックコンピュータのタイプにより、利用者は空気誘導ユニット２を自分で調節し、効率のよい放熱を実現する。
【０００９】
前記の積載ユニット１は金属部材のアルミ成型、押し出し又はプレース方式により製造する。積載ユニット１はプラスチック部材を使用しても良い。該積載ユニット１に置き台１０を設け、該置き台１０の一端は下方に曲げて、支持部１１１を備えた第１板体１１、及び第１板体１１の他端の端面に移動可能な第２板体１２より構成する。該第１板体１１は支持部１１１の場所に複数のパンチ孔区域１１２を設け、該第１板体１１は支持部１１１の付近場所の上部に対称にした誘導レール１１３を設ける。該第１板体１１と該第２板体１２の向かい側の両側に延伸部１１４をそれぞれ設ける。該第２板体１２の一端は二つの延伸部１１４の間に、カラー部１２１を設け、各延伸部１１４とカラー部１２１に旋軸１３を設ける。該第２板体１２に複数の長い孔１２２を設け、該第１板体１１の支持部１１１の端面に接合部１１５を有し、該第２板体１２に接合部１１５に対応し結合する、突き合わせ継ぎ部１２３を設ける。
【００１０】
該空気誘導ユニット２は、前記の積載ユニット１に備える支持部１１１一つの表面に設ける。該空気誘導ユニット２は前記の誘導レール１１３で移動可能にして、フード２１を設け、フード２１の片側は第１板体１１両側に対応する開口部２１１を設ける。フード２１の両側は、誘導レール１１３で移動可能にして、パネル２１２を設け、パネル２１２の端面にジグザグ部２１３を設け、フード２１の適切場所に貫通孔２１４を設ける。フード２１内部にそれぞれファン２２を設け、ファン２２は導線２２１により貫通孔２１４を通して、電気コネクタ２３に連結し、外部電源を取得する。該電気コネクタ２３は前記の第１板体１１の支持部１１１に設ける。よって、前記の構成要素により、斬新なノートブックコンピュータの放熱パッド構造を構成する。
【００１１】
図４、５、６に示すものは、それぞれ本考案使用するときの断面概略図、調節状態概略図、及び折り畳み概略図である。図示のとおり、本考案は使用するときの、利用者はノートブックコンピュータ３を積載ユニット１の置き台１０に置き、空気誘導ユニット２のファン２２は第１板体１１のパンチ孔区域１１２より、ノートブックコンピュータ３の稼働による熱風を吸入し、ファン２２とフード２１と組み合わせて、熱風はフード２１の開口部２１１より外部に誘導し、放熱の効果を実現する。
【００１２】
利用者は空気誘導ユニット２を調節するとき、ノートブックコンピュータの寸法に従い、フード２１を片側(左又は右)に移動する。該フード２１はその両側に設けるパネル２１２により、誘導レール１１３で滑り移動し、ファン２２を所要の位置に合わせた後、パネル２１２端面のジグザグ部２１３と誘導レール１１３と適切な干渉を形成し、フード２１を移動したとき、適切な抵抗力を発生する。さらに、フード２１移動した後は、固定の効果がある。これにより、利用者は空気誘導ユニット２を様々なノートブックコンピュータの寸法に合わせて調節を行い、効率のよい放熱を実現する。
【００１３】
本考案の放熱パッドを収納または携帯するとき、自在に移動結合可能な第１、第２板体１１、１２を対称的に折り曲げて、該第１、第２板体１１、１２の延伸部１１４とカラー部１２１との間の旋軸１３を互いに引き合わせた後、第１板体１１の結合部１１５と第２板体１２の突き合わせ継ぎ部１２３と結合させ、該置き台１０を折り畳んだ後、収納及び携帯できる。
【図面の簡単な説明】
【００１４】
【図１】本考案の立体外観概略図である。
【図２】本考案の立体分解概略図である。
【図３】本考案もう一つ角度の立体分解概略図である。
【図４】本考案使用するときの断面概略図である。
【図５】本考案の調節状態の概略図である。
【図６】本考案の折り畳み状態の概略図である。
【図７】公知技術の立体外観概略図である。
【図８】公知技術の断面概略図である。
【符号の説明】
【００１５】
１  積載ユニット
１０  置き台
１１  第１板体
１１１  支持部
１１２  パンチ孔区域
１１３  誘導レール
１１４  延伸部
１１５  接合部
１２  第２板体
１２１  カラー部
１２２  長い孔
１２３  突き合わせ継ぎ部
１３  旋軸
２  空気誘導ユニット
２１  フード
２１１  開口部
２１２  パネル
２１３  ジグザグ部
２１４  貫通孔
２２  ファン
２２１  導線
２３  電気コネクタ
３  ノートブックコンピュータ
４  放熱パッド
４０  ケース体
４１、４２  上、下ケース体
４３  空気入口
４４  空気出口
４５  空気誘導板
５  ファン
【図１】
0003127596.tif 000003
【図２】
0003127596.tif 000004
【図３】
0003127596.tif 000005
【図４】
0003127596.tif 000006
【図５】
0003127596.tif 000007
【図６】
0003127596.tif 000008
【図７】
0003127596.tif 000009
【図８】
0003127596.tif 000010